(57)【特許請求の範囲】
【請求項１】
開閉自在なシャッター扉を設けたコンテナ体と、
該コンテナ体の底板に形成された前脚と、
前記コンテナ体の底板に形成されたローラと、
コンテナ脱着装置付き車両に搭載する場合に案内するガイドと、
前記コンテナ体が前記コンテナ脱着装置付き車両に固縛されるための被固縛装置と、
前記コンテナ体の前板に固定される掛合部材と、を備え、
前記シャッター扉が前記コンテナ体の側板の開口部に開閉可能に設けられ、
前記コンテナ体における前記シャッター扉の内側に隣接または近接した位置に設けられる開閉自在な内扉を備え、
該内扉が前記開口部の内側の下部に設けられ、該内扉の上部は空間であり、
前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、
前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする扉付き脱着式コンテナ。
【請求項２】
左右に開閉自在な引戸を設けたコンテナ体と、
該コンテナ体の底板に形成された前脚と、
前記コンテナ体の底板に形成されたローラと、
コンテナ脱着装置付き車両に搭載する場合に案内するガイドと、
前記コンテナ体が前記コンテナ脱着装置付き車両に固縛されるための被固縛装置と、
前記コンテナ体の前板に固定される掛合部材と、を備え、
前記引戸が前記コンテナ体の側板の開口部に開閉可能に設けられ、
前記コンテナ体における前記引戸の内側に隣接または近接した位置に設けられる開閉自在な内扉を備え、
該内扉が前記開口部の内側の下部に設けられ、該内扉の上部は空間であり、
前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、
前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする扉付き脱着式コンテナ。
【発明の詳細な説明】
【技術分野】
【０００１】
本発明は、コンテナ脱着装置付車両を利用して移動可能な脱着式シャッター付きコンテナに関する。
【背景技術】
【０００２】
特許文献１に記載の発明は、搬送物の積み卸しが簡単にでき、更に倉庫が不要なコンテナ着脱式運搬車を提供することを課題とする。その発明は、搬送物１を収容可能なコンテナ２と、このコンテナ２を載置する運搬車の荷台３と、前記コンテナ２を運搬車の荷台３から地上に積み卸しする運搬車に搭載された荷役装置４とからなり、前記コンテナ２には、コンテナ内の搬送物１を移動する搬送物移動用ロ−ラ５を設け、前記コンテナ２を載置する運搬車の荷台３には、前記コンテナ２に設けたコンテナロ−ラ６を移動案内するコンテナ移動案内溝７を設けたコンテナ着脱式運搬車である。
【０００３】
特許文献２に記載の発明は、風雨の侵入を防止し、側面からも物の積み降ろしを可能とすると共に、物の積み降ろしを容易にし、且つ、輸送中の荷物の落下や散乱を効果的に防止し、内部の有効容積を効率的に利用できるコンテナを提供することを課題とする。そのコンテナ１は、コンテナ脱着装置付自動車１００に脱着自在に構成され、底板４、前板６、後部扉３及び底板４の両側に開閉可能な一対の側板７，８を備え、上部には開閉自在なウイング１２，１３が左右対称に取付けられたセンタービーム１１が備えられている。ウイング１２，１３は骨組１２ａ，１３ａにシート１４を張って構成されており、コンテナ１の上部及び側面の大部分を覆って収容空間２を形成している。ウイング１２，１３はウイング用ロック装置２２を解除すると、ガススプリング２１の弾力性により自動的に押し上げられ、同時に側板７，８を開くことによりコンテナ１の側面から物の積み降ろしが可能となるものである。
【先行技術文献】
【特許文献】
【０００４】
【特許文献１】特開２０００−７１８５５号公報
【特許文献１】特開２００２−３４７８８３号公報
【発明の概要】
【発明が解決しようとする課題】
【０００５】
しかしながら、従来の特許文献１に記載の発明は、コンテナ２についてドア２ａしか設けられておらず、コンテナ２への荷物の出し入れの便宜が図られているといえるものではなかった。また、特許文献２に記載の発明は、開閉自在なウイング１２，１３を備えることにより、コンテナ１の側部が開放され、そこから荷物の積み下ろしが可能であるが、製造コストや使用の面で必ずしもそのような大がかりなコンテナが必要とされるものでもなかった。
【０００６】
そこで、本発明は上記問題に鑑み、迅速・簡易に荷物を収容し移動することのできるコンテナを低コストで提供することを課題とする。
【課題を解決するための手段】
【０００７】
上記課題に鑑み、本発明は、開閉自在なシャッター扉を設けたコンテナ体と、該コンテナ体の底板に形成された前脚と、前記コンテナ体の底板に形成されたローラと、コンテナ脱着装置付き車両に搭載する場合に案内するガイドと、前記コンテナ体が前記コンテナ脱着装置付き車両に固縛されるための被固縛装置と、前記コンテナ体の前板に固定される掛合部材と、を備え、前記シャッター扉が前記コンテナ体の側板の開口部に開閉可能に設けられ、前記コンテナ体における前記シャッター扉の内側に隣接または近接した位置に設けられる開閉自在な内扉を備え、該内扉が前記開口部の内側の下部に設けられ、該内扉の上部は空間であり、前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする扉付き脱着式コンテナである。シャッターは上下に開閉するものと左右に開閉するものいずれも含む。
【０００８】
上記課題に鑑み、本発明は、左右に開閉自在な引戸を設けたコンテナ体と、該コンテナ体の底板に形成された前脚と、前記コンテナ体の底板に形成されたローラと、コンテナ脱着装置付き車両に搭載する場合に案内するガイドと、前記コンテナ体が前記コンテナ脱着装置付き車両に固縛されるための被固縛装置と、前記コンテナ体の前板に固定される掛合部材と、を備え、前記引戸が前記コンテナ体の側板の開口部に開閉可能に設けられ、前記コンテナ体における前記引戸の内側に隣接または近接した位置に設けられる開閉自在な内扉を備え、該内扉が前記開口部の内側の下部に設けられ、該内扉の上部は空間であり、前記コンテナ脱着装置付車両に搭載されるときには、前記掛合部材が前記コンテナ脱着装置付き車両のフックに引っ掛けられて該コンテナ脱着装置付き車両における前方向に移動されることにより搭載され、前記コンテナ脱着装置付車両から降ろされるときには、前記掛合部材が前記コンテナ脱着装置付き車両のフックに引っ掛けられて該コンテナ脱着装置付き車両の後方に移動されることにより降ろされることを特徴とする扉付き脱着式コンテナである。
【００１０】
また、前記シャッター扉または前記引戸は、単数でも良いし、前記コンテナ体の側板、前板および／または後板において複数個設けてもよく、対向する二つの側板の両面に設けてもよい。また、一方の側板に前記シャッター扉を設け、対向する他方の側板に前記引戸を設けてもよい。
【００１１】
本発明において、前記コンテナ体における前記シャッター扉または前記引戸の内側に設けられる開閉自在な内扉を備えることが好ましい。内扉は観音扉式、煽り扉式、それらの組み合わせ、その他の開閉構造のいずれでもよい。内扉は、シャッター扉または引戸に対して、平行でも角度をつけて設けても良い。荷物の積載容量の関係から、シャッター扉または前記引戸と、内扉との間隔は隣接または近接する位置が好ましい。
【００１２】
前記内扉は観音扉式に設けることが好ましい。ここでいう観音扉式とは、縦軸に設けられた回動軸によって開閉自在になされた二つの扉体が、該回動軸を遠端にして左右対称に設けられるものをいう。煽り扉式とは、横軸に設けられた回動軸によって開閉自在になされた一以上の扉体が、該回動軸を中心に開閉するものをいう。
【００１３】
本発明において、前記コンテナ体における前記シャッター扉または前記引戸の下方に設けられる開閉自在な下部扉を備えることが好ましい。
【００１４】
ここにおいて前記引戸を設ける場合、前記引戸の下方の前記下部扉の上部には、前記引戸を案内するレールが設けられることが好ましい。あるいは、前記引戸を吊下げ式に設けることが好ましい。
【００１５】
前記下部扉は煽り戸式に設けることが好ましい。ここでいう煽り戸式とは、横軸に設けられた回動軸をその下部に有することによって開閉自在になされた扉体をいう。
【００１６】
本発明において、前記コンテナ体の天板の上面における四端辺に設けられる柵体を備えることが好ましい。また、前記柵体を設ける前記天板に向かって梯子が設けられることが好ましい。
【００１７】
本発明において、前記コンテナ体の内部を前後に仕切って開閉自在となす仕切板を備えることが好ましい。
【００１８】
また、前記シャッター扉または前記引戸の少なくとも一つが前記仕切板よりも前方の位置に設けられることが好ましい。
【００１９】
前記仕切板は回動開閉自在であることが好ましい。また、前記仕切板は差込み式であることも好ましい。
【００２０】
本発明において、前記コンテナ体の内部において、底板の上面の周囲に沿って設けられる立設板と、該立設板の内側において連設される排水路とを備えることが好ましい。
【００２１】
底板の上面の周囲とは、前記コンテナ体の前端辺、左右側辺、後端辺に位置する底板の外周を指すが、必ずしもこれらすべての端辺に立設板を設ける必要はなく、いずれか一部の端辺にのみ設ける場合も含むものとする。
【００２２】
また、前記コンテナ体の底板の下側に前記排水路と連通する排水タンクを備えることが好ましい。
【００２３】
また、前記排水路と前記排水タンクとの間に逆止弁を備え、前記排水タンクの下部にはストップバルブを設けることが好ましい。
【発明の効果】
【００２４】
本発明の扉付き脱着式コンテナによると、コンテナへの荷物の出し入れについて、特別な重機等を必要とせずに簡便に行うことができる。また、コンテナの移動のための車両への脱着を簡便に行うことができる。すなわち、本発明の扉付き脱着式コンテナは、荷物の出し入れおよびコンテナ移動について、迅速容易に行うことが可能となるものである。さらに、本発明に用いる各部材要素は、用いるコンテナにおいて適所に配置することができ使用用途に柔軟に対応することができる上、各部材要素の共通化を図ることができ、製造コストを低廉に抑えることができる。
【００２５】
前記シャッター扉または前記引戸を備えた前記コンテナ体につき、前記前脚、前記ローラ、前記ガイド、前記被固縛装置および前記掛合部材を備えることにより、荷物の出し入れや施錠が簡易であって、前記コンテナ脱着装置付車両への脱着が簡易なコンテナを得ることができる。
【００２６】
前記コンテナ体の長手側面に前記シャッター扉または前記引戸を設けることにより、開口部の間口を広くすることができ、大きな荷物の出し入れや複数人での同時作業を円滑に行うことができる。
【００２７】
前記内扉を設けることにより、前記コンテナ体の内部に雑多な荷物を乱雑に収容したとしても、それらの荷物が前記内扉に堰き止められ、前記シャッター扉または前記引戸の開閉を円滑に行うことが可能となる。また、前記内扉はそれらの荷物から前記シャッター扉または前記引戸が破損されることを防止する防護扉の役割も果たす。
【図面の簡単な説明】
【００３２】
【図１】本発明による実施例１の扉付き脱着式コンテナ１０１の左側面図である。シャッター扉１３０および内扉１５０は閉じた状態である。
【図２】同実施例の扉付き脱着式コンテナ１０１がコンテナ脱着装置付車両１９０に脱着される様子を示す説明図である。
【図３】同実施例の扉付き脱着式コンテナ１０１の平面図である。
【図４】同実施例の扉付き脱着式コンテナ１０１の底面図である。
【図５】同実施例の扉付き脱着式コンテナ１０１の正面図である。
【図６】同実施例の扉付き脱着式コンテナ１０１の背面図である。
【図７】同実施例の扉付き脱着式コンテナ１０１のシャッター扉１３０を開いた状態の左側面図である。内扉１５０は閉じた状態である。
【図８】同実施例の扉付き脱着式コンテナ１０１のシャッター扉１３０および内扉１５０を開いた状態の左側面図である。
【図９】同実施例の扉付き脱着式コンテナ１０１のシャッター扉１３０および内扉１５０を開いた状態の正面図である。
【図１０】実施例１の変形例の扉付き脱着式コンテナ２０１´の左側面図である。（ａ）は引戸２３０´を閉じた状態であり、（ｂ）は引戸２３０´を開いた状態である。
【図１１】本発明による実施例２の扉付き脱着式コンテナ２０１の左側面図である。引戸２３０および下部扉２５０は閉じた状態である。
【図１２】同実施例の扉付き脱着式コンテナ２０１の引戸２３０および下部扉２５０を開いた状態の左側面図である。
【図１３】同実施例の扉付き脱着式コンテナ２０１の引戸２３０および下部扉２５０を開いた状態の正面図である。
【図１４】実施例２の変形例の扉付き脱着式コンテナ２０１´の左側面図である。
【図１５】本発明による実施例３の扉付き脱着式コンテナ３０１の左側面図である。
【図１６】同実施例の扉付き脱着式コンテナ３０１の平面図である。
【図１７】同実施例の扉付き脱着式コンテナ３０１の正面図である。
【図１８】本発明による実施例４の扉付き脱着式コンテナ４０１の左側面図である。
【図１９】同実施例４の扉付き脱着式コンテナ４０１の内部を示す平面図である。シャッター扉４３０ａ，４３０ｂの図示は省略している。
【図２０】同実施例４の仕切板４７１を示す斜視図である。（ａ）は仕切板４７１が閉じられた状態であり、（ｂ）仕切板４７１が閉められた状態である。
【図２１】同実施例５の仕切板５７１を示す斜視図である。（ａ）は仕切板５７１を差込んだ状態であり、（ｂ）仕切板５７１を外した状態である。
【図２２】本発明による実施例６の扉付き脱着式コンテナ６０１の内部を示す平面図である。シャッター扉６３０の図示は省略している。
【図２３】（ａ）は同実施例６の立設板６８１および排水路６８４を示す部分断面図である。（ｂ）は同実施例６の変形例の立設板６８１´を示す部分断面図である。
【図２４】同実施例６の扉付き脱着式コンテナ６０１の底面図である。
【発明を実施するための形態】
【００３３】
本発明の好適な実施例１による扉付き脱着式コンテナ１０１について、図１〜図９を参照して説明する。扉付き脱着式コンテナ１０１は、図１，図７に示す通り、コンテナ体１１０と、コンテナ体１１０に設けられるシャッター扉１３０と、シャッター扉の内側領域に設けられる内扉１５０とを備える。また、扉付き脱着式コンテナ１０１は、前脚１２１、ローラ付後脚１２２、ガイド１２３、被固縛装置１２４、掛合部材１２５からなるコンテナ脱着装置付車両１９０への積み降ろしのための各部材を備える（図２参照）。以下、各部について説明する。
【００３４】
コンテナ体１１０は、図１，図３〜図６に示す通り、中空の直方体構造であり、前板１１１、後板１１２、底板１１３、天板１１４、左側板１１５、右側板１１６を有する箱体である。底板１１３には、図４に示す通り、その前部下面に形成される前脚１２１、後部下面に形成されるローラ付後脚１２２、下面に形成されコンテナ脱着装置付車両１９０に搭載する場合に案内するためのガイド１２３、および下面に形成されコンテナ脱着装置付車両１９０の固縛装置に固縛するためのピンを備えた被固縛装置１２４が設けられる。前脚１２１およびローラ付後脚１２２は折畳構造を備え、フックでコンテナ体１１０に掛け止めして固定することができるように構成されてもよい。これに限らず、前脚１２１およびローラ付後脚１２２は、折畳構造を備えていなくてもよい。前板１１１には両端の基部をリブ１２６により補強して固設された板体に、略Ｕ字状ないし略Ｖ字状のロッドが取り付けられた掛合部材１２５が設けられる（図１，図３〜図５参照）。また、左側板１１５および右側板１１６にはそれぞれシャッター扉１３０が設けられる。後板１１２には後部扉１６０が設けられる。後部扉１６０に代えてシャッター扉としてもよい。また、シャッター扉１３０を後部に設け、左右側板１１５，１１６は開閉式扉としてもよい。
【００３５】
シャッター扉１３０は、図１，図７に示す通り、コンテナ体１１０の左側板１１５および右側板１１６に設けられる開口部１４０を開閉自在になす扉体である。シャッター扉１３０は、細長い鋼板からなるスラットが多数連結されたものであり、巻取りシャフトやプーリー等（図示略）を備えるケース１３１から引き出され、またはケース１３１に巻き取られることにより開閉する周知の扉体である。ケース１３１はコンテナ体１１０の内部において開口部１４０の上方に設けられる（図５〜図７参照）。シャッター扉１３０は錠１３２および手掛１３３を備える手動のものであるが、これに限らず電動のものを用いてもよい。シャッター扉１３０は上下ではなく、左右に開閉するものでも良い。
【００３６】
内扉１５０は、図７〜図９に示す通り、左右対称の扉体１５１ａ，１５１ｂが回動軸１５２ａ，１５２ｂにより観音扉式に回動開閉自在な扉体である。内扉１５０は開口部１４０の下部であってシャッター扉１３０の内側に設けられる。内扉１５０の上方は空間である。扉体１５１ａ，１５１ｂの下部には、それぞれ扉止め１５３ａ，１５３ｂが設けられ、コンテナ体１１０にはその係合部が設けられる。これらの係合により、内扉１５０は閉じられた状態でロックされる。内扉１５０は、シャッター扉１３０に対して、平行に設けてある。荷物の積載容量の関係から、シャッター扉１３０と、内扉１５０との間隔は隣接または近接する位置が好ましい。また、荷物の堰き止め機能を得られる程度の高さで良い。図８、図９に示す通り、内扉１５０は開口部１４０の外側空間（コンテナ体１１０の外部空間）に開閉できるようになっており、９０度以上開いた状態では、開口部１４０の外側空間において開くように配置されている。
【００３７】
後部扉１６０は、図６に示す通り、左右対称の後部扉体１６１ａ，１６１ｂが後部扉回動軸１６２ａ，１６２ｂにより観音扉式に回動開閉自在な扉体である。後部扉１６０は、後部扉体１６１ａ，１６１ｂに架設される後部扉錠１６３により閉じられた状態でロックされる。左側板１１５および右側板１１６の下部には後部扉１６０を開いた状態で固定する後部扉止め１６４が設けられる（図１参照）。後部扉１６０の構造は、煽り戸構造などでもよい。
【００３８】
シャッター扉１３０、開口部１４０および内扉１５０は、図１および図７に示す通り、左側板１１５に同様のものが左右に二つ設けられている。また、シャッター扉１３０、開口部１４０および内扉１５０は、左側板１１５におけるものと同様に右側板１１６にもこれらと対称に設けられる。これに限られず、シャッター扉１３０、開口部１４０および内扉１５０は、コンテナ体１１０において前板１１１、後板１１２、左側板１１５、右側板１１６のいずれか、または、一以上の板に設けることができ、同時に複数個所設けることもできる。なお、内扉１５０を設けずに、シャッター扉１３０のみによって開口部１４０を開閉することも本発明の適用例として可能である。
【００３９】
以下、本発明の実施例１による扉付き脱着式コンテナ１０１の使用について、作用効果とともに説明する。扉付き脱着式コンテナ１０１をコンテナ脱着装置付車両１９０に搭載するときには、図２に示す通り、コンテナ脱着装置付車両１９０のフック１９１で掛合部材１２５を引っ掛けて、アーム１９２によってコンテナ脱着装置付車両１９０における前方向に移動させる。この移動中、前脚１２１が浮いたらこれを畳んだ状態にし、引き続き、アーム１９２によって移動させて搭載する。搭載後、扉付き脱着式コンテナ１０１の被固縛装置１２４をコンテナ脱着装置付車両１９０の固縛装置で固縛し固定する。前脚１２１に加えてローラ付後脚１２２も畳んで運搬してもよい。
【００４０】
一方、コンテナ脱着装置付車両１９０から降ろすときには、扉付き脱着式コンテナ１０１の被固縛装置１２４をコンテナ脱着装置付車両１９０の固縛装置から解除し、畳んだ状態にあるローラ付後脚１２２を展開して立設し、コンテナ脱着装置付車両１９０のフック１９１で掛合部材１２５を引っ掛けて、アーム１９２によってコンテナ脱着装置付車両１９０の後方に移動させて、ローラ付後脚１２２を着地させる。浮いた前脚１２１を展開して立設した後、引き続き、アーム１９２によってコンテナ脱着装置付車両１９０から離脱させる。扉付き脱着式コンテナ１０１は、前脚１２１、ローラ付後脚１２２、ガイド１２３、被固縛装置１２４、掛合部材１２５を備えることによって、コンテナ脱着装置付車両１９０への係脱ないし積み降ろしを円滑に簡単に行うことができる。
【００４１】
扉付き脱着式コンテナ１０１を接地させた状態において、シャッター扉１３０および内扉１５０を開いて、コンテナ体１１０の内部に任意の荷物を出し入れないし保管することができる。例えば、新聞や雑誌等の荷物をコンテナ体１１０に乱雑に収容したりしても、内扉１５０を閉めておけば、これら荷物を堰き止め、シャッター扉１３０の開閉を円滑に行うことができて便利である。また、荷物がシャッター扉１３０に当たり損傷あるいは変形することを防止することができる。保管中はシャッター扉１３０の錠１３２により、コンテナ体１１０を施錠することができる。シャッター扉１３０、開口部１４０および内扉１５０をコンテナ体１１０の複数個所に設けた場合、複数人での同時作業等を円滑に行うことができる。
【００４２】
本発明の実施例１においてシャッター扉１３０に代え、図１０に示す通り、引戸１３０´を用いた扉付き脱着式コンテナ１０１´としてもよい。引戸１３０´は上部レール１３４´と下部レール１３５´により案内されて開閉する周知のものである。この場合も内扉１５０´を備えることにより、引戸１３０´の開閉を円滑に行うことができ、その他、実施例１と同様の作用効果を有する。
【００４３】
以下、本発明の実施例２による扉付き脱着式コンテナ２０１について図１１〜図１３を参照して説明する。この実施例２は、実施例１の変形例の扉付き脱着式コンテナ１０１´を参照してなされたものであり、内扉１３０に代えて、または、これとともに、下部扉２５０を設けたものであり、各構成に付す符合は実施例１の図１０の変形例におけるものの２００番台とし、実施例１と共通する点についてはこれを援用し、説明を省略する。扉付き脱着式コンテナ２０１は、左側板２１５および右側板２１６のそれぞれにおいて、引戸２３０、開口部２４０および下部扉２５０を有する。以下、各部について説明する。
【００４４】
引戸２３０は、図１１，図１２に示す通り、左側板２１５および右側板２１６の内面において開口部２４０の上方に設けられる上部レール２３１と、下部扉２５０の上面に設けられる下部レール２３２とにより案内されてスライド開閉する扉体である。上部レール２３１および下部レール２３２は、開口部２４０の全幅からコンテナ体２１０の後方に向かって延設され、引戸２３０を閉めた状態ないし開けた状態にまでそのスライドを案内する。引戸２３０は、錠２３３および手掛２３４を備え、これらにより開閉・施錠を行う。
【００４５】
下部扉２５０は、図１１〜図１３に示す通り、扉体２５１の下部を横軸に設けられた回動軸２５２によって開閉自在になされた扉体である。回動軸２５２は三つの小型の蝶番より構成される。扉体２５１の上部には、引戸２３０のスライド開閉を案内するための扉体下部レール２５３が設けられる。扉体２５１の下部には、扉止め２５４が設けられ、コンテナ体２１０にはその係合部が設けられる。これらの係合により、下部扉２５０は閉じられた状態でロックされる。下部扉２５０の上部と、引戸２３０の下部は、閉じた状態では、荷物の脱落を防止する上では、接することが好ましい。
【００４６】
本発明の実施例２による扉付き脱着式コンテナ２０１の使用について、作用効果とともに説明する。扉付き脱着式コンテナ２０１は、実施例１の扉付き脱着式コンテナ１０１と同様にしてコンテナ脱着装置付車両１９０に容易に脱着され、移動できる。扉付き脱着式コンテナ２０１を接地させた状態においては、引戸２３０および下部扉２５０を開けて荷物を出し入れすることができる。このとき、下部扉２５０は、図１２，図１３に示す通り、扉体２５１の上部が回動により接地し、扉体２５１がコンテナ体２１０の開口部２４０に設けられるスロープの役割を果たすこととなる。これにより、例えばドラム缶等の重量物を転がして出し入れすることができて便利である。また、下部扉２５０の高さ、形状、配置によっては、例えば、新聞や雑誌等の荷物を乱雑に収容したりしても、下部扉２５０を閉めておけば、これら荷物を堰き止め、引戸２３０の開閉を円滑に行うことができて便利であり、また、荷物が引戸２３０に当たり損傷あるいは変形することを防止することができる場合もある。
【００４７】
本発明の実施例２において引戸２３０に代え、図１４に示す通り、実施例１におけるものと同様なシャッター扉２３０´を用いてもよい。このとき、シャッター扉２３０´を閉じた状態においては、シャッター扉２３０´の下部が下部扉２５０´の上部に接することとなる。
【００４８】
以下、本発明の実施例３による扉付き脱着式コンテナ３０１について図１５〜図１７を参照して説明する。各構成に付す符合は実施例１におけるものの３００番台とし、実施例１と共通する点についてはこれを援用し、説明を省略する。扉付き脱着式コンテナ３０１は、実施例１の扉付き脱着式コンテナ１０１と同様なものの屋根上に柵体３７１ａ，３７１ｂ，３７１ｃ，３７１ｄを備えるものである。柵体３７１ａ，３７１ｂ，３７１ｃ，３７１ｄは、上記実施例のいずれにも適用できる。以下、その構成を効果とともに説明する。
【００４９】
柵体３７１ａ，３７１ｂ，３７１ｃ，３７１ｄは、図１６に示す通り、天板３１４の上面において、その四端辺に設けられる。柵体３７１ａ，３７１ｂ，３７１ｃ，３７１ｄはそれぞれ天板３１４に立設される枠体と、これに設けられる金網とからなる。柵体３７１ａ，３７１ｂ，３７１ｃ，３７１ｄと天板３１４により、コンテナ体３１０の屋根上にカゴ状となった荷台３７２が形成される。柵体３７１ａ，３７１ｂ，３７１ｃ，３７１ｄを設ける場合は、コンテナ体３１０の高さを実施例１によるものよりも低くし、各種の高さ制限に適合させるとよい。前板３１１には、柵体３７１ａの上部まで延設される梯子３７３が設けられる。
【００５０】
柵体３７１ａ，３７１ｂ，３７１ｃ，３７１ｄによる荷台３７２により、扉付き脱着式コンテナ３０１の屋根上のスペースを有効活用することができる。また、梯子３７３により、別段の脚立等を使用せずとも、荷台３７２に登り降りすることが可能となり便宜である。
【００５１】
以下、本発明の実施例４による扉付き脱着式コンテナ４０１について図１８〜２０を参照して説明する。実施例４は、実施例１による扉付き脱着式コンテナ１０１を基にしたものであり、各構成に付す符合は実施例１におけるものの４００番台とし、実施例１と共通する点についてはこれを援用し、説明を省略する。また、シャッター扉４３０は、その前後のものをシャッター扉４３０ａ，４３０ｂとして必要に応じて区別して説明する。なお、実施例４の構成は実施例２ないし３においても適用可能である。この実施例４による扉付き脱着式コンテナ４０１は、コンテナ体４１０の内部を前室４１８および後室４１９の前後に仕切って開閉自在となす仕切板４７１を備えるものである。以下、各部について説明する。
【００５２】
仕切板４７１は、図１８〜２０に示す通り、コンテナ体４１０の内部において、左側板４１５および右側板４１６の間に回動開閉自在に設けられる扉状の板体である。仕切板４７１は、その上部に設けられるヒンジ４７２によって回動自在とされ、ヒンジ４７２から下垂した状態において、コンテナ体４１０の内部を前室４１８および後室４１９に隔てることとなる。ヒンジ４７２は、仕切板４７１の上部に固設された円筒状の軸受部４７３に、水平に設けられる軸部４７４が摺動可能に挿通されることにより、仕切板４７１を回動自在となすものである。軸部４７４は、左側板４１５および右側板４１６のそれぞれの内側に設けられる中間柱４７５ａ，４７５ｂの間に水平に懸架される。中間柱４７５ａ，４７５ｂはコンテナ体４１０の構造材をそのまま流用してもよいし、別途に設けてもよい。なお、ヒンジ４７２は水平に限らず、例えば中間柱４７５ａ，４７５ｂのいずれかに垂直に設けて、仕切板４７１を左右に回動開閉するように構成してもよい。
【００５３】
仕切板４７１は規制装置４７６により、ヒンジ４７２から下垂してコンテナ体４１０の内部を隔てた位置に規制することができる（図２０（ａ）参照）。規制装置４７６は、中間柱４７５ａの下部に設けられた規制レバー４７７と、仕切板４７１の一側部の下部に設けられる係合穴４７８とからなる。規制レバー４７７は、把持部４７７ａおよび係合部４７７ｂが中央の回動軸（図示略）を挟んで互いに反対方向に突設されることにより、把持部４７７ａの回動操作が係合部４７７ｂに伝達される構造を有するものである。これにより、把持部４７７ａを上下に回動操作して、係合部４７７ｂが中間柱４７５ａから突出して係合穴４７８と係合する状態と、係合が解除された状態とをとることができる。規制装置４７６の係合が解除されているとき、仕切板４７１は自由に回動できる状態にある（図２０（ｂ）参照）。
【００５４】
仕切板４７１は、図１８，１９に示す通り、前後のシャッター扉４３０ａ，４３０ｂの間の位置に設ける。ただし、コンテナ体４１０の前後における仕切板４７１の位置は、コンテナ体４１０の内部を前室４１８および後室４１９に隔てるようにして任意に選択することができる。ここにおいて、前室４１８および後室４１９が、いずれも別々のシャッター扉４３０ａ，４３０ｂにより直接的に外部と連通することが望ましい（図１８，１９参照）。これに限らず、仕切板４７１を一つのシャッター扉４３０の中間位置に設け、前室４１８および後室４１９が一つのシャッター扉４３０により外部と連通することとすることもできる。また、前室４１８がシャッター扉４３０により外部と連通し、後室４１９は後部扉４６０によってのみ外部と連通するものとすることもできる。さらに、前室４１８または後室４１９のいずれか一方のみがシャッター扉４３０または後部扉４６０により直接的に外部と連通することとし、他方は仕切板４７１を介して間接的に外部と連通するように構成することも可能である。
【００５５】
仕切板４７１はコンテナ体４１０と同様の素材、すなわち、鉄等の金属製のものが好適に用いられるものとして挙げられるが、これに限られず、木製、合成樹脂製等のものを用いることもできる。仕切板４７１の幅方向の大きさは、仕切板４７１が回動自在となる限りにおいて、コンテナ体４１０の内部の左右幅に亘って設けることが好ましい。仕切板４７１の下部は、仕切板４７１が回動自在となる限りにおいて、底板４１３の上面に接近して設けることが好ましい。一方、仕切板４７１の上部は、コンテナ体４１０の内部において天板４１４より低い高さで任意に設定できる。
【００５６】
実施例４による扉付き脱着式コンテナ４０１の使用について効果とともに以下に説明する。コンテナ体４１０の内部に荷物を収容する際には、シャッター扉４３０ａまたはシャッター扉４３０ｂを開け、前室４１８または後室４１９にそれぞれ別々の荷物を収容することができる。例えば、前室４１８には新聞紙を収容し、後室４１９には空缶を収容すること等ができる。この際、内扉４５０を開けて荷物を収容することもできるし、内扉４５０を閉めたまま、その上方の空間から荷物を収容することもできる。
【００５７】
コンテナ体４１０の内部に荷物を収容する際ないし荷物を収容している状態においては、規制装置４７６は、係合部４７７ｂが係合穴４７８に係合した状態にしておくものとする（図２０（ａ）参照）。これにより、仕切板４７１の回動が規制されて前室４１８および後室４１９の間が隔てられ、それぞれの荷物が混ざってしまうことはなくなる。
【００５８】
コンテナ体４１０の内部の荷物を取り出すときは収容する際と逆の手順で可能であるが、本実施例の扉付き脱着式コンテナ４０１は、これをダンプしてコンテナ体４１０の内部の荷物を排出することが特に便利である。そこで本実施例におけるコンテナ脱着装置付車両４９０は、積載のコンテナを荷役装置により傾動してダンプ姿勢とすることが可能なものを用いることが望ましい。コンテナ体４１０の内部の荷物を排出するには、まず、後部扉４６０を開放し、扉付き脱着式コンテナ４０１をその前部を持ち上げてダンプすることにより、後室４１９の中の荷物を排出する。この際、規制装置４７６は係合状態のままである（図２０（ａ）参照）。続いて、一旦、扉付き脱着式コンテナ４０１のダンプを止めて水平に戻した状態で、規制装置４７６の係合を解除した後、再度、脱着式コンテナ４０１をダンプする。そうすると、仕切板４７１は、前室４１８の荷物の重量により押圧されることにより下方に開放され（図２０（ｂ）参照）、前室４１８の荷物が排出されることとなる。すなわち、本実施例の扉付き脱着式コンテナ４０１は、前室４１８および後室４１９の内部の荷物をそれぞれ別々にして収容することが容易であり、かつ、排出も容易なものである。
【００５９】
以下、本発明の実施例５による扉付き脱着式コンテナ５０１について図２１を参照して説明する。実施例５は、実施例４の回動開閉自在な仕切板４７１の代わりに、差込み式の仕切板５７１を用いるものである。そこで、各構成に付す符合は特に示さない限り実施例４におけるものの５００番台とし、実施例４と共通する点についてはこれを援用し、説明を省略する。以下、各部の構成とその作用効果について説明する。
【００６０】
仕切板５７１は、図２１に示す通り、差込みレール５７２ａ，５７２ｂに案内されて上方から差込みまたは引抜き自在の板体である。仕切板５７１は、差込みレール５７２ａ，５７２ｂの間に差込み可能な横幅に形成する。一方、仕切板５７１の高さは、コンテナ体５１０の内部を仕切る所望の高さよりも小さく設定し、複数枚の仕切板５７１を差込んで上下に連接させることが好ましい（図２１（ｂ）参照）。このように仕切板５７１を上下に二枚以上に分割して設けることにより、コンテナ体５１０の内部の相当な高さまで仕切板５７１を設置することができる。仕切板５７１はコンクリートパネルを用いて安価に作成することができるが、これに限られず、鉄等の金属製、合成樹脂製等とすることもできる。
【００６１】
差込みレール５７２ａ，５７２ｂは、略コ字状の断面を有する長尺部材であり、それぞれが中間柱５７３ａ，５７３ｂにおいて対向して設けられる（図２１参照）。差込みレール５７２ａ，５７２ｂの下部は底板５１３の上面に接近して設けるが、その上部は天板５１４付近まで延設させず、一枚の仕切板５７１の高さ以上の空間を確保する。
【００６２】
底板５１３には、図２１に示す通り、仕切板５７１が隣接する位置に規制装置５７４を設ける。本実施例における規制装置５７４は、差込みピン５７５と、差込みピン５７５とが係合する係合穴５７６からなる。規制装置５７４を用いることにより、前室５１８または後室５１９の荷物による荷重に対して仕切板５７１の位置を規制することができる。また、扉付き脱着式コンテナ５０１のダンプ中には、前室５１８の荷物により仕切板５７１に作用する荷重が特に大きくなるため、仕切板５７１の破損防止に有効である。なお、仕切板５７１として強度の高い材料を用いる場合等、特に必要のない場合は、規制装置５７４を用いなくてもよい。
【００６３】
扉付き脱着式コンテナ５０１の使用は、仕切板５７１の係脱を別として実施例４におけるものとほぼ同様である。仕切板５７１は上述の通り、上方から差込みレール５７２ａ，５７２ｂに差込みまたは引抜いて使用し、必要に応じて規制装置５７４を用いる。また、複数枚に分割した仕切板５７１のうち、下部の仕切板５７１のみを設置した状態にして、その上方の空間を利用して、前室５１８および後室５１９の間で相互に荷物等のやりとりを行うこともできる。
【００６４】
以下、本発明の実施例６による扉付き脱着式コンテナ６０１について図２２〜２４を参照して説明する。各構成に付す符合は実施例１におけるものの６００番台とし、実施例１と共通する点についてはこれを援用し、説明を省略する。なお、実施例６の構成は実施例２ないし５においても適用可能である。この実施例６による扉付き脱着式コンテナ６０１は、コンテナ体６１０の内部において、底板６１３の上面の周囲に沿って設けられる立設板６８１と、立設板６８１の内側に連設される排水路６８４とを備え、また、底板６１３の下面において排水路６８４と連通する排水タンク６８５を備えるものである。以下、各部について説明する。
【００６５】
立設板６８１は、図２２に示す通り、底板６１３の左右端部に設けられる６８１ａ，６８１ｂと、後端部に設けられる６８１ｃにより周設されるものである。左右端部にある立設板６８１ａ，６８１ｂのそれぞれの前端は前板６１１に連設される。立設板６８１はコンテナ体６１０と同様の素材、すなわち、鉄等の金属製のものが好適に用いられるものとして挙げられるが、これに限られず、木製、合成樹脂製等のものを用いることもできる。立設板６８１ａ，６８１ｂ，６８１ｃ、前板６１１および底板６１３のそれぞれの継ぎ目は溶接して水密構造とする。立設板６８１として木製、合成樹脂製等のものを用いる場合は、シリコンゴム等により水密構造とすることができる。また、立設板６８１を別途に用意するのではなく、底板６１３を折り曲げてこれと一体的に形成してもよい。
【００６６】
立設板６８１は、図２３（ａ）に示す通り、内側のテーパ面６８２と外側の垂壁６８３とを有する。テーパ面６８２の傾斜角度は任意に設けることができ、垂壁６８３は必ずしも垂直に立設することを要しない。垂壁６８３は内扉６５０等に干渉しない限りにおいてできる限り底板６１３の外側に設けることが好ましい。
【００６７】
排水路６８４は、図２２に示す通り、立設板６８１の内側においてこれと同様に左右側部および後端部に周設される排水路６８４ａ，６８４ｂ，６８４ｃからなる。排水路６８４ａ，６８４ｂ，６８４ｃはそれぞれが排水を通すように連通する。排水路６８４は、パイプ等の円筒形状の長尺部材を縦に割って底板６１３に埋設して形成したものであり、その断面形状は半円形となるが（図２３（ａ）参照）。これに限らず、その他の方法により排水路６８４を形成し、その他の断面形状を有することとしてもよい。また、図２３（ｂ）のように、本実施例６の変形例として排水路６８４を用いないこととすることもできる。このときは、周設された立設板６８１´により、底板６１３´を全体的に窪んだ貯留域として使用することとなる。この場合であっても後述する排水タンク６８５に排水することができる。
【００６８】
排水タンク６８５は、図２２，２３に示す通り、底板６１３の下面に設けられ、貯留路６８６により排水路６８４ｃと連通する。貯留路６８６には逆止弁（図示略）が設けられ、排水タンク６８５の下部には貯留した排水を排出するためのストップバルブ６８７が設けられる。排水タンク６８５の内容積は、２ｔのコンテナ脱着装置付車両６９０に対応する扉付き脱着式コンテナ６０１の場合は２２Ｌ、４ｔの場合は３７Ｌ程度のものが挙げられるが、これに限らず設けることができる。
【００６９】
実施例６による扉付き脱着式コンテナ６０１の効果について以下に説明する。扉付き脱着式コンテナ６０１が立設板６８１を有することにより、内部の荷物から汚水が染み出してきたとしても、これを堰き止めることができる。また、その汚水は、排水路６８４ａ，６８４ｂ，６８４ｃを経て、排水タンク６８５に蓄えることができる。排水タンク６８５に貯留される汚水は逆止弁（図示略）により、扉付き脱着式コンテナ６０１を着脱する際やダンプする際等にもこぼれることはない。排水タンク６８５に貯留された汚水はストップバルブ６８７により任意の場所で排出することができる。これらの構成とその作用効果により、例えば、扉付き脱着式コンテナ６０１に一般家庭ごみや濡れた新聞紙等を収容する際にも、そこから流れ出す汚水をコンテナ体６１０の外部に漏らさずに清潔に使用することができる。
【００７０】
本発明の以上の実施例に用いる各部材要素は、使用するコンテナにおいて適所に配置することができ、使用用途や仕様に合わせて柔軟に選択し対応することができる。例えば左右の側板において別々の構成をとることができる。また、これにより、各部材要素の共通化が図られ、製造コストを低廉に抑えることができる。
【００７１】
なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。
【符号の説明】
【００７２】
１０１・・・扉付き脱着式コンテナ
１１０・・・コンテナ体
１１１・・・前板
１１２・・・後板
１１３・・・底板
１１４・・・天板
１１５・・・左側板
１１６・・・右側板
１２１・・・前脚
１２２・・・ローラ付後脚
１２３・・・ガイド
１２４・・・被固縛装置
１２５・・・掛合部材
１３０・・・シャッター扉
１４０・・・開口部
１５０・・・内扉
１５１ａ，１５１ｂ・・・扉体
１５２ａ，１５２ｂ・・・回動軸
１５３ａ，１５３ｂ・・・扉止め
１６０・・・後部扉
１６１ａ，１６１ｂ・・・後部扉体
１６２ａ，１６２ｂ・・・後部扉回動軸
１３０´・・・引戸
１３４´・・・上部レール
１３５´・・・下部レール
２０１・・・扉付き脱着式コンテナ
２１５・・・左側板
２１６・・・右側板
２３０・・・引戸
２３１・・・上部レール
２３２・・・下部レール
２４０・・・開口部
２５０・・・下部扉
２５１・・・扉体
２５２・・・回動軸
２５３・・・扉体下部レール
２５４・・・扉止め
２３０´・・・シャッター扉
３０１・・・扉付き脱着式コンテナ
３１１・・・前板
３１４・・・天板
３７１ａ，３７１ｂ，３７１ｃ，３７１ｄ・・・柵体
３７２・・・荷台
３７３・・・梯子
４０１・・・扉付き脱着式コンテナ
４１０・・・コンテナ体
４１３・・・底板
４３０ａ，４３０ｂ・・・シャッター扉
４５０・・・内扉
４１８・・・前室
４１９・・・後室
４７１・・・仕切板
４７２・・・ヒンジ
４７５ａ，４７５ｂ・・・中間柱
４７６・・・規制装置
５０１・・・扉付き脱着式コンテナ
５１０・・・コンテナ体
５１３・・・底板
５７１・・・仕切板
５７２ａ，５７２ｂ・・・差込みレール
５７３ａ，５７３ｂ・・・中間柱
５７４・・・規制装置
６０１・・・扉付き脱着式コンテナ
６１０・・・コンテナ体
６５０・・・内扉
６８１・・・立設板
６８４・・・排水路
６８５・・・排水タンク
６８６・・・ストップバルブ
【図１】
0005875464.tif 000002
【図２】
0005875464.tif 000003
【図３】
0005875464.tif 000004
【図４】
0005875464.tif 000005
【図５】
0005875464.tif 000006
【図６】
0005875464.tif 000007
【図７】
0005875464.tif 000008
【図８】
0005875464.tif 000009
【図９】
0005875464.tif 000010
【図１０】
0005875464.tif 000011
【図１１】
0005875464.tif 000012
【図１２】
0005875464.tif 000013
【図１３】
0005875464.tif 000014
【図１４】
0005875464.tif 000015
【図１５】
0005875464.tif 000016
【図１６】
0005875464.tif 000017
【図１７】
0005875464.tif 000018
【図１８】
0005875464.tif 000019
【図１９】
0005875464.tif 000020
【図２０】
0005875464.tif 000021
【図２１】
0005875464.tif 000022
【図２２】
0005875464.tif 000023
【図２３】
0005875464.tif 000024
【図２４】
0005875464.tif 000025